(57)【要約】【課題】  本発明は、皮膚への刺激性やシックハウス症候群などの健康上、よりやさしく、大気汚染などの環境衛生上、よりやさしい炭化水素系基油を提供する。【解決手段】  （ａ）沸点が２６０〜６００℃の範囲にあり、（ｂ）４０℃における動粘度が９〜９０ｍｍ２／ｓの範囲にあり、（ｃ）粘度指数が９５以上であり、（ｄ）流動点が−５．０℃以下であり、（ｅ）全芳香族分が３質量％以下であり、（ｆ）多環芳香族分が１質量％以下であり、（ｇ）硫黄分が０．１質量％以下であり、（ｈ）アニリン点が９５℃以上である炭化水素系基油にする。【選択図】  なし【特許請求の範囲】
【請求項１】
（ａ）沸点が２６０〜６００℃の範囲にあり、（ｂ）４０℃における動粘度が９〜９０ｍｍ２／ｓの範囲にあり、（ｃ）粘度指数が９５以上であり、（ｄ）流動点が−５．０℃以下であり、（ｅ）全芳香族分が３質量％以下であり、（ｆ）多環芳香族分が１質量％以下であり、（ｇ）硫黄分が０．１質量％以下であり、（ｈ）アニリン点が９５℃以上であることを特徴とする炭化水素系基油。
【請求項２】
（ａ）沸点が２６０〜５５０℃の範囲にあり、（ｂ）４０℃における動粘度が９〜１４ｍｍ２／ｓの範囲にあり、（ｄ）流動点が−１０℃以下であり、（ｅ）全芳香族分が１．０質量％以下であり、（ｆ）多環芳香族分が１．０質量％以下であり、（ｇ）硫黄分が０．０１質量％以下である請求項１に記載の炭化水素系基油。
【請求項３】
（ａ）沸点が２６０〜５８０℃の範囲にあり、（ｂ）４０℃における動粘度が１４〜２５ｍｍ２／ｓの範囲にあり、（ｃ）粘度指数が１００以上であり、（ｄ）流動点が−１０．０℃以下であり、（ｇ）硫黄分が０．０１質量％以下であり、（ｈ）アニリン点が１００℃以上である請求項１に記載の炭化水素系基油。
【発明の詳細な説明】
【技術分野】
【０００１】
本発明は、皮膚への刺激性やシックハウス症候群などの健康上、よりやさしく、大気汚染などの環境衛生上、よりやさしい炭化水素系基油に関するものである。
【背景技術】
【０００２】
近年、大気汚染防止の観点から、ＶＶＯＣ(Very Volatile Organic Compound；高揮発性有機化合物)やＶＯＣ（Volatile
Organic Compound；揮発性有機化合物）の排出を抑える必要性が急速に求められてきている。ＷＨＯ（世界保健機関）では０℃−５０・１００℃の沸点範囲を持つ化合物をＶＶＯＣ、５０・１００℃〜２４０・２６０℃の沸点範囲をもつ化合物をＶＯＣとして定義している。また、２４０・２６０℃〜３８０・４００℃の沸点範囲を持つ化合物をＳＶＯＣ(Semi
Volatile Organic Compound；準揮発性有機化合物)と定義している。ＶＶＯＣやＶＯＣは大気中で紫外線を浴びるとオキシダントを生成し、ＮＯｘ（窒素酸化物）やＳＯｘ（硫黄酸化物）をＳＰＭ（浮遊粒子状物質）にする性質があると考えられている。また、ＶＯＣそのものがＳＰＭとなることもあり、大気汚染の要因の一つと考えられている。
【０００３】
また、シックハウス症候群やシックスクール症候群に関して、特定の化学物質のヒトへの影響がどの程度あるかは未だに明確にされてはいない面もあるが、室内空気中に存在する化学物質についての指針値が厚生労働省から示されている。この指針値は現段階で得られた科学的知見から定められた値ではあるがその主旨は指針値を満足するような建材の使用や住宅等の提供、住まい方を普及啓発することである。その指針値は今後集積される新たな知見や評価により変更される物であることを謳っている。また、「いかなる条件においてもヒトに有害な影響を与える」ことを意味するものでは無いという点も示唆されている。
【０００４】
指針値を定めることは化学物質が健康影響の危惧を起こすことが無いように安全かつ適正に使用され、化学物質が本来もっている有益性が最大限生かされることに大きく貢献するという点が重要であるとも謳っている。それら化学物質の中には直鎖テトラデカン（ｎ−Ｃ１４）があり、また今後継続して検討がなされる物質に直鎖オクタン（ｎ−Ｃ８）、直鎖ノナン（ｎ−Ｃ９）、直鎖デカン（ｎ−Ｃ１０）、直鎖ウンデカン（ｎ−Ｃ１１）、直鎖ドデカン（ｎ−Ｃ１２）、直鎖トリデカン（ｎ−Ｃ１３）などがある。また、ＴＶＯＣ（Total
Volatile Organic Compound；総揮発性有機化合物）は室内濃度測定の際に検出された複数のＶＯＣの濃度を合計した数値を指している。室内に存在している何種類ものＶＯＣ全てに指針値を設けるのは不可能であること、複数のＶＯＣによる複合影響の評価は困難なことから、存在するＶＯＣの総量に指針値を設け、トータルで削減を目指す目的である。現在の暫定値は４００μｇ／ｍ３が示されている。また、直鎖テトラデカンは３３０μｇ／ｍ３（０．０４ｐｐｍ）が指針値となっている。
【０００５】
また、発ガン性の観点から、油中に含まれる多環芳香族分の量を３質量％未満にする必要がある。多環芳香族分が３質量％以上の鉱油は欧州では取り扱い制限がある。この多環芳香族分の量を３質量％未満にし、芳香族炭化水素含有量を１１〜２５質量％にしたプロセスオイルが提案されている（特許文献１参照）が、より健康にやさしく、より環境にやさしい製品が望まれている。
これらの動向は環境衛生、健康維持の点から生じており、それらを解決するような製品が望まれている。
【特許文献１】特開２０００−３０９７８６号公報
【発明の開示】
【発明が解決しようとする課題】
【０００６】
炭化水素系基油は一般的に溶剤抽出によって精製される。
溶剤抽出で精製される炭化水素系基油は、一般に硫黄含有量が高く、芳香族化合物も一定量で残存することになる。また、蒸留性状を合わせず、動粘度による性状合わせでは直鎖パラフィンの分布が一定せず、炭素数１４以下の直鎖パラフィンが残存するために、健康上又は環境衛生上から課題があることが示唆される可能性があった。
本発明は、皮膚への刺激性やシックハウス症候群などの健康上、よりやさしく、大気汚染などの環境衛生上、よりやさしい炭化水素系基油を提供することを目的とする。
【課題を解決するための手段】
【０００７】
そこで、本発明者は、鋭意検討を行った結果、原油の常圧蒸留装置より得られるボトム油を減圧蒸留装置で処理することにより得られる炭化水素系基油原料をフルフラール溶剤抽出法によって高度に芳香族分を除去し、その後、溶剤脱ロウ処理をし、つづいて高圧接触水素化処理を行い、高圧接触水素化処理し、水蒸気ストリッパーによって軽質な留分を十分除去することにより、特定の性状の炭化水素系基油を得ることができ、その炭化水素系基油により上記課題を解決できることを見出し、本発明を完成するに至った。
【０００８】
すなわち、本発明は、（ａ）沸点が２６０〜６００℃の範囲にあり、（ｂ）４０℃における動粘度が９〜９０ｍｍ２／ｓの範囲にあり、（ｃ）粘度指数が９５以上であり、（ｄ）流動点が−５．０℃以下であり、（ｅ）全芳香族分が３質量％以下であり、（ｆ）多環芳香族分が１質量％以下であり、（ｇ）硫黄分が０．１質量％以下であり、（ｈ）アニリン点が９５℃以上であることを特徴とする炭化水素系基油を提供する。
【０００９】
また、本発明は、上記炭化水素系基油において、（ａ）沸点が２６０〜５５０℃の範囲にあり、（ｂ）４０℃における動粘度が９〜１４ｍｍ２／ｓの範囲にあり、（ｄ）流動点が−１０℃以下であり、（ｅ）全芳香族分が１．０質量％以下であり、（ｆ）多環芳香族分が１．０質量％以下であり、（ｇ）硫黄分が０．０１質量％以下である炭化水素系基油を提供する。
【００１０】
また、本発明は、上記炭化水素系基油において、（ａ）沸点が２６０〜５８０℃の範囲にあり、（ｂ）４０℃における動粘度が１４〜２５ｍｍ２／ｓの範囲にあり、（ｃ）粘度指数が１００以上であり、（ｄ）流動点が−１０．０℃以下であり、（ｇ）硫黄分が０．０１質量％以下であり、（ｈ）アニリン点が１００℃以上である炭化水素系基油を提供する。
【発明の効果】
【００１１】
本発明の炭化水素系基油によると、流動パラフィン原料、繊維油剤、化粧品用溶剤、建築材料の接着剤用溶剤、塗料用溶剤、塗料用原料、ワックス原料及びタバコのフィルター用溶剤などの各種原料、及び原料用溶剤としての基本的な物性を有し、皮膚への刺激性やシックハウス症候群などの健康上、よりやさしく、大気汚染などの環境衛生上、よりやさしい。
【発明を実施するための最良の形態】
【００１２】
本発明の炭化水素系基油は、沸点が２６０〜６００℃の範囲である。蒸留性状のうち、初留及び５容量％留出温度は２６０℃以上が望ましい。２６０℃より低いと蒸発し易くなり、揮発性が悪化する。好ましくは２８０℃以上であることが望ましい。また、直鎖テトラデカンを含まないためにも初留が２６０℃以上であることが望ましい。好ましくは２８０℃以上であることが望ましい。
【００１３】
なお、２６０℃以上であれば、実質的に、沸点２５１℃の直鎖テトラデカン（ｎ−Ｃ１４）及び炭素数１３以下の直鎖アルカンを含まない。また、なんらかの成分との混合により、沸点上昇して、炭素数１４以下のアルカンを含有することも考えられるが、本発明においては、実質的に直鎖テトラデカン（ｎ−Ｃ１４）及び炭素数１３以下の直鎖パラフィンを含まないものが好ましい。ここで、実質的に含まないとは、その含有量が０．０１質量％以下であることを意味し、好ましくは０．００３質量％以下である。
【００１４】
また、本発明の炭化水素系基油は、直鎖ペンタデカンの含有量が０．１質量％以下が好ましく、０．０５質量％以下が特に好ましい。また、直鎖ヘキサデカンの含有量が０．５質量％以下が好ましく、０．１質量％以下が特に好ましい。
蒸留性状はＡＳＴＭ  Ｄ２８８７により測定でき、また、直鎖オクタン（ｎ−Ｃ８）、直鎖ノナン（ｎ−Ｃ９）、直鎖デカン（ｎ−Ｃ１０）、直鎖ウンデカン（ｎ−Ｃ１１）、直鎖ドデカン（ｎ−Ｃ１２）、直鎖トリデカン（ｎ−Ｃ１３）、直鎖テトラデカン（ｎ−Ｃ１４）、直鎖ペンタデカン（ｎ−Ｃ１５）、直鎖ヘキサデカン（ｎ−Ｃ１６）の定量分析はガスクロマトグラフにより測定可能である。ガスクロマトグラフ装置はＨＰ５８９０ｓｅｒｉｅｓII（ＧＣ−ＡＥＤ１）プレカットシステムを用い、カラムをＵｌｔｒａ  １（５０ｍ×０．３２ｍｍＩ．Ｄ．、膜厚０．５２μｍ  ｆｕｓｅｄ  ｓｉｌｉｃａ）、検出器をＦＩＤにして、オーブン温度を６０℃１分間の後、毎分５℃にて昇温し、２５０℃にして、昇温時間を合計で４０分とし、ヘリウムをキャリアーガスとして５０ｍＬ／分とし、ｎ−Ｃ１４を標準物質として検量線を作成し、定量できる。
【００１５】
本発明の炭化水素系基油の４０℃における動粘度は、９〜９０ｍｍ２／ｓであり、９〜２５ｍｍ２／ｓの範囲にあることが好ましい。動粘度はＪＩＳ  Ｋ２２８３により測定可能である。
本発明の炭化水素系基油の粘度指数は、９５以上であり、１００以上が好ましい。粘度指数はＪＩＳ  Ｋ２２８３により、計算可能である。
本発明の炭化水素系基油の流動点は、−５．０℃以下であり、−７．５℃以下が好ましく、−１０．０℃以下が特に好ましい。流動点はＪＩＳ  Ｋ２２６９により、測定可能である。
【００１６】
本発明の炭化水素系基油の全芳香族分は３質量％以下であり、１．０質量％以下であることが好ましく、０．３質量％以下であることが特に好ましい。全芳香族分が多すぎると多環芳香族分（ＰＣＡ）含有量が増加する可能性があり、好ましくない。全芳香族分の含有量はＡＳＴＭ  Ｄ  ３２３８−９５により測定可能である。ここで、全芳香族分とは、芳香族炭化水素及びその誘導体の全てを含む。
【００１７】
本発明の炭化水素系基油のＰＣＡの含有量は１質量％以下であり、０．５質量％以下であることが好ましいが、少なければ少ないほどよい。ＰＣＡは英国石油協会法（ＩＰ３４６／９２）により測定可能である。ここで、多環芳香族分とは、２つ以上の芳香族環の縮合体であってもよいし、３つ以上の芳香族環の連結体であってもよい。
本発明の炭化水素系基油の残留炭素分の含有量は、０．０１以下であることが好ましい。残留炭素分の含有量は、ＪＩＳ  Ｋ２２７０により測定可能である。
本発明の炭化水素系基油の酸価は、０．０１以下であることが好ましい。残留炭素分の含有量は、ＪＩＳ  Ｋ２５０１により測定可能である。
本発明の炭化水素系基油の銅板腐食は、１以下であることが好ましい。銅板腐食は、ＪＩＳ  Ｋ２５１３により測定可能である。
【００１８】
本発明の炭化水素系基油の硫黄分の含有量は０．１質量％以下であり、０．０５質量％以下であることが好ましく、０．０１質量％以下が特に好ましい。硫黄が多すぎると本発明の炭化水素系基油を使用した製品に残存することになる。硫黄含有量はＪＩＳ  Ｋ２５４１により測定可能である。
本発明の炭化水素系基油のアニリン点は９５℃以上であり、１００℃以上であることが好ましい。流動パラフィン原料として使用したとき、その値が大きければ大きいほど精製に有利である。流動パラフィンは特開２００２−２２６７５４号公報に示されるような純度試験、及び基準値に合格するものが環境・作業・衛生の面においてより好適となる。アニリン点はＪＩＳ  Ｋ２２５６により測定可能である。
【００１９】
本発明の好適な炭化水素系基油としては、（１）（ａ）沸点が２６０〜５５０℃の範囲にあり、（ｂ）４０℃における動粘度が９〜１４ｍｍ２／ｓの範囲にあり、（ｃ）粘度指数が９５以上であり、（ｄ）流動点が−１０℃以下であり、（ｅ）全芳香族分が１．０質量％以下であり、（ｆ）多環芳香族分が１．０質量％以下であり、（ｇ）硫黄分が０．０１質量％以下であり、（ｈ）アニリン点が９５℃以上である炭化水素系基油や、（２）（ａ）沸点が２６０〜５８０℃の範囲にあり、（ｂ）４０℃における動粘度が１４〜２５ｍｍ２／ｓの範囲にあり、（ｃ）粘度指数が１００以上であり、（ｄ）流動点が−１０．０℃であり、（ｅ）全芳香族分が３質量％以下であり、（ｆ）多環芳香族分が１質量％以下であり、（ｇ）硫黄分が０．０１質量％以下であり、（ｈ）アニリン点が１００℃以上である炭化水素系基油が好ましい。
【００２０】
なお、（１）については、（ａ）沸点が２８０〜５５０℃の範囲にあり、（ｂ）４０℃における動粘度が９〜１４ｍｍ２／ｓの範囲にあり、（ｃ）粘度指数が１００以上であり、（ｄ）流動点が−１０℃以下であり、（ｅ）全芳香族分が１．０質量％以下であり、（ｆ）多環芳香族分が０．２質量％以下であり、（ｇ）硫黄分が０．００５質量％以下であり、（ｈ）アニリン点が１００℃以上である、炭化水素からなる基油がさらに好ましい。
【００２１】
本発明によると、流動パラフィン原料、繊維油剤、化粧品用溶剤、建築材料の接着剤用溶剤、塗料用溶剤、塗料用原料、ワックス原料及びタバコのフィルター用溶剤などの各種原料、及び原料用溶剤としての基本的な物性を有し、しかも大気汚染に対し、好適な低ＶＯＣであり、シックハウス症候群や皮膚刺激性に関わる化学物質をより低減させた、炭化水素系基油を提供することができる。
【００２２】
特に、上記（１）及び（２）の性状を有する炭化水素系基油は、それぞれ、４０℃における流動点が異なるが、いずれも、さらに環境対応性や皮膚刺激性を改善するための処方であり、特に繊維油剤としてはタバコの風味がよりよくなり、化粧品用溶剤としてはより肌荒れしにくくなる。
本発明の炭化水素系基油には、用途に応じて適宜添加剤を配合することができる。添加剤としては、例えば、清浄分散剤、酸化防止剤、粘度指数向上剤、流動点降下剤、油性剤、極圧剤、泡消剤、錆止め剤、乳化剤、抗乳化剤、摩耗防止剤、摩擦調整剤、腐食防止剤などが挙げられる。
【００２３】
本発明の炭化水素系基油の製造方法としては、原油の常圧蒸留装置より得られるボトム油を減圧蒸留装置で処理することにより得られる任意の留出油である炭化水素系基油原料をフルフラール溶剤抽出法によって高度に芳香族分を除去し、その後、溶剤脱ロウ処理をし、つづいて高圧接触水素化処理し、水蒸気ストリッパーによって軽質な留分を十分除去することにより、特定の性状の炭化水素系基油を得る方法が挙げられる。
【００２４】
原油としては、ムバラスブレンド、マーバン、ザクム、アラビアンライト等炭化水素系基油に適した原油が使用できる。
高圧接触水素化処理の条件としては、アルミナ担体にニッケル、モリブデンなどを含む触媒系の存在下で全圧１３〜１８ＭＰａ、反応温度２８０〜３７０℃、ＬＨＳＶ０．２５〜６．０ｈ−１、水素／油比４０００〜１２０００Ｎｍ３／ｋｌの条件が挙げられる。  
水蒸気ストリッパーの条件としては、全圧１８〜３０ｋＰａ、塔頂温度１２０〜２１０℃、塔底温度２００〜２９０℃、水蒸気量１３０〜６５０ｋｇ／ｈの条件が挙げられる。
【実施例】
【００２５】
本発明を実施例により具体的に説明するが、これらの実施例になんら制限されるものではない。
【００２６】
（実施例１）
ムバラスブレンド原油、マーバン原油、及びザクム原油の等量配合物を常圧蒸留処理し、分留後常圧残油を減圧下で更に分留し、得られる留出油をフルフラール溶剤抽出法によってパラフィンリッチラフィネート及び芳香族エキストラクトを精製した。つづいて、そのラフィネートを脱ろう処理して脱ろう油を得た。さらに、得られた脱ろう基油を組成、性状、色相の安定性を向上させるためにアルミナ担体にニッケル、モリブデンを含む触媒系の存在下で全圧１５〜１６ＭＰａ、反応温度３２５℃、ＬＨＳＶ０．３６ｈ−１、水素／油比７０００Ｎｍ３／ｋｌで高圧水素化処理をし、次に、低ＶＯＣ化及び直鎖炭化水素を除去するために蒸留性状をコントロールすべく水蒸気ストリッパーにて全圧２６ｋＰａ、塔頂温度２００℃、塔底温度２２０℃、水蒸気量１５０ｋｇ／ｈにて軽質物質を除去して得た。得られた基油の組成は表１に示した。なお、ｎ−ｄ−Ｍの「％ＣＡ」は、全芳香族分を意味する。
【００２７】
（実施例２）
実施例１において、水素化処理の条件を全圧１５〜１６ＭＰａ、反応温度３２５℃、ＬＨＳＶ０．３２ｈ−１、水素／油比８３００Ｎｍ３／ｋｌとして水素化処理を行い、続いて、水素化処理油を水蒸気ストリッパーにて全圧２７ｋＰａ、塔頂温度２００℃、塔底温度２１５℃、水蒸気量５００ｋｇ／ｈにてストリップした以外は、実施例１と同様にして炭化水素系基油を得た。得られた炭化水素系基油の組成は表１に示した。
【００２８】
（実施例３）
実施例１において、水素化処理の条件を全圧１５〜１６ＭＰａ、反応温度３１５℃、ＬＨＳＶ０．５７ｈ−１、水素／油比４４００Ｎｍ３／ｋｌとして水素化処理を行い、続いて、水素化処理油を水蒸気ストリッパーにて全圧２１ｋＰａ、塔頂温度１３０℃、塔底温度２３０℃、水蒸気量２３０ｋｇ／ｈにてストリップした以外は、実施例１と同様にして炭化水素系基油を得た。得られた炭化水素系基油の組成は表１に示した。
【００２９】
（実施例４）
実施例１において、水素化処理の条件を全圧１５〜１６ＭＰａ、反応温度３００℃、ＬＨＳＶ０．３３ｈ−１、水素／油比６０００Ｎｍ３／ｋｌとして水素化処理を行い、続いて、水素化処理油を水蒸気ストリッパーにて全圧２３ｋＰａ、塔頂温度２０５℃、塔底温度２３０℃、水蒸気量６００ｋｇ／ｈにてストリップした以外は、実施例１と同様にして炭化水素系基油を得た。得られた炭化水素系基油の組成は表１に示した。
【００３０】
（実施例５）
実施例１において、水素化処理の条件を全圧１５〜１６ＭＰａ、反応温度３２０℃、ＬＨＳＶ０．３９ｈ−１、水素／油比６６００Ｎｍ３／ｋｌとして水素化処理を行い、続いて、水素化処理油を水蒸気ストリッパーにて全圧２３ｋＰａ、塔頂温度１４０℃、塔底温度２６０℃、水蒸気量１４０ｋｇ／ｈにてストリップした以外は、実施例１と同様にして炭化水素系基油を得た。得られた炭化水素系基油の組成は表１に示した。
【００３１】
（実施例６）
実施例１において、水素化処理の条件を全圧１５〜１６ＭＰａ、反応温度３５０℃、ＬＨＳＶ０．２９ｈ−１、水素／油比１１７００Ｎｍ３／ｋｌとして水素化処理を行い、続いて、水素化処理油を水蒸気ストリッパーにて全圧２１ｋＰａ、塔頂温度１３５℃、塔底温度２５５℃、水蒸気量２８０ｋｇ／ｈにてストリップした以外は、実施例１と同様にして炭化水素系基油を得た。得られた炭化水素系基油の組成は表２に示した。
【００３２】
（実施例７）
実施例１において、水素化処理の条件を全圧１５〜１６ＭＰａ、反応温度３２５℃、ＬＨＳＶ０．４５ｈ−１、水素／油比５０００Ｎｍ３／ｋｌとして水素化処理を行い、続いて、水素化処理油を水蒸気ストリッパーにて全圧２０ｋＰａ、塔頂温度１６５℃、塔底温度２７５℃、水蒸気量５１０ｋｇ／ｈにてストリップした以外は、実施例１と同様にして炭化水素系基油を得た。得られた炭化水素系基油の組成は表２に示した。
【００３３】
（実施例８）
実施例１において、水素化処理の条件を全圧１５〜１６ＭＰａ、反応温度３１５℃、ＬＨＳＶ０．３１ｈ−１、水素／油比７３００Ｎｍ３／ｋｌとして水素化処理を行い、続いて、水素化処理油を水蒸気ストリッパーにて全圧２２ｋＰａ、塔頂温度２００℃、塔底温度２７５℃、水蒸気量６３０ｋｇ／ｈにてストリップした以外は、実施例１と同様にして炭化水素系基油を得た。得られた炭化水素系基油の組成は表２に示した。
【００３４】
（実施例９）
実施例１において、水素化処理の条件を全圧１５〜１６ＭＰａ、反応温度３２４℃、ＬＨＳＶ０．４０ｈ−１、水素／油比５５００Ｎｍ３／ｋｌとして水素化処理を行い、続いて、水素化処理油を水蒸気ストリッパーにて全圧２３ｋＰａ、塔頂温度１２５℃、塔底温度２５０℃、水蒸気量２２０ｋｇ／ｈにてストリップした以外は、実施例１と同様にして炭化水素系基油を得た。得られた炭化水素系基油の組成は表２に示した。
【００３５】
（比較例１）
原油の蒸留、溶剤抽出、脱ろう処理によって得られた基油を任意の動粘度で分留することによって基油を得た。得られた基油の組成は表３に示した。
【００３６】
（比較例２）
原油の蒸留、溶剤抽出、脱ろう処理によって得られた基油を任意の動粘度で分留することによって基油を得た。得られた基油の組成は表３に示した。
【００３７】
（比較例３）
また、同触媒下で全圧６〜７ＭＰａ、反応温度３１０℃、ＬＨＳＶ０．８３ｈ−１、水素／油比３０００Ｎｍ３／ｋｌで水素化処理を行った。水素化処理油を水蒸気ストリッパーにて全圧１８ｋＰａ、塔頂温度１８６℃、塔底温度２００℃、水蒸気量３８０ｋｇ／ｈにてストリップした以外は、実施例１と同様にして炭化水素系基油を得た。得られた炭化水素系基油の組成は表３に示した。
【００３８】
【表１】
2006070070.tif 000002
【００３９】
【表２】
2006070070.tif 000003
【００４０】
【表３】
2006070070.tif 000004
【産業上の利用可能性】
【００４１】
本発明の炭化水素系基油は、各種原料用として、例えば、流動パラフィン原料、建築材料の接着剤用溶剤、塗料用溶剤、塗料用原料、ゴム、プロセス油、グリース、金属加工油、界面活性剤、及び各種添加剤原料として有用に利用される。また、本発明の炭化水素系基油は、化学工業用として、例えば、合成樹脂剤、合成樹脂ペレットの再生溶色用圧縮機の潤滑油として、さらには、繊維工業用としての繊維油剤の原料油、繊維機械の潤滑油、モップ含振浸油、製紙工業用としてのさん孔紙等の含浸油、紙管やトイレットペーパーの離型油、化粧品用油剤、ワックス原料及びタバコのフィルター用溶剤などの原料、農業用殺虫剤基油、スプレーオイル、鉛筆芯含浸油等として有用に利用される。